(57)【要約】【課題】文字、記号または図形から形成された表示部材を設置方向に応じて対応させることが可能な看板を提供する。【解決手段】看板１０は、案内部１１と、フレーム部１２とを備えている。案内部１１は、「Ｏ」、「Ｐ」、「Ｅ」および「Ｎ」の文字が一列に並べられた文字表示部材１１ａ〜１１ｄと、文字表示部材１１ａ〜１１ｄの周囲を囲う枠状表示部１１ｅとを備えている。文字表示部材１１ａ〜１１ｄおよび枠状表示部１１ｅには、文字の形状に沿ってＬＥＤが内蔵されている。フレーム部１２には、「Ｐ」、「Ｅ」および「Ｎ」の文字に象れた文字表示部材１１ｂ〜１１ｄを支持する文字用支持部材１２２ａ〜１２２ｃが形成されている。また、フレーム部１２には、文字用支持部材１２２ａ〜１２２ｃを介して文字表示部材１１ｂ〜１１ｄに回転軸１２４ｒが接続され、文字表示部材１１ｂ〜１１ｄを軸回転させる軸部１２４ｂを備えている。【選択図】図３
0003206470.tif 000002
【実用新案登録請求の範囲】
【請求項１】
文字、記号または図形から形成された表示部材が並べられた案内部と、
前記表示部材に回転軸が接続され、前記表示部材を軸回転させる軸部とを備えた看板。
【請求項２】
前記軸部は、前記表示部材の中心に接続された請求項１記載の看板。
【請求項３】
前記軸部は、前記表示部材を同じ９０度の範囲で回転させる請求項１または２記載の看板。
【請求項４】
回転対称に形成された前記表示部材は、前記表示部材を囲う枠部に固定された請求項１から３のいずれかの項に記載の看板。
【考案の詳細な説明】
【技術分野】
【０００１】
本考案は、店頭や店内、街頭、建物の壁面、屋上などに設置される看板に関するものである。
【背景技術】
【０００２】
看板は、多くの人の目に触れるように店頭や街頭、建物の壁面、屋上などに設置される。看板は、文字を並べて、店名を表示したり、営業中であることや、営業は終了したこと、または営業を開始する前であることを、店頭に設置して案内したり、また、店内に設置されるときにはメニューや雰囲気を醸し出すための展示物としても設置されたりする。例えば、看板として、特許文献１に記載されたものが知られている。
【０００３】
特許文献１に記載の発光ダイオードの看板は、表面に複数の点光源をマトリクス状に配置している複数の看板文字と、この看板文字の点光源を点灯する点灯電源とを備え、看板文字の点光源は、赤色発光ダイオードと緑色発光ダイオードと青色発光ダイオードとを備え、これらの発光ダイオードの発光を点灯電源で制御して点光源の発光色を変更したものである。
【先行技術文献】
【特許文献】
【０００４】
【特許文献１】特開２００５−３３１７７６号公報
【考案の概要】
【考案が解決しようとする課題】
【０００５】
特許文献１に記載の発光ダイオードの看板では、表面に描かれた文字や図形を表示するのではなくて、外形を文字や図形としている看板文字で表示するため、点光源の点灯と消灯に関係なく、その外形で文字や図形を明確に表示することができる。
【０００６】
しかし、特許文献１に記載の発光ダイオードの看板では、外形で文字や図形を明確に表示することができる反面、文字が縦（上下方向）に並んだ縦型の看板を設置する場合や、または文字が横（左右方向）に並んだ横型の看板を設置する場合には、設置方向に応じて、看板文字が縦に並んだものや、横に並んだものを準備する必要がある。
従って、縦型の看板を準備して現地に設置するときに、やはり横型の方が好ましいと判断されると、再度、横型の看板を調達する必要がある。また、製造会社は、設置方向におじたそれぞれの看板を作製する必要がある。従って、看板として、設置方向に対応できるものが望まれている。
【０００７】
そこで本考案は、文字、記号または図形から形成された表示部材を設置方向に応じて対応させることが可能な看板を提供することを目的とする。
【課題を解決するための手段】
【０００８】
本考案の看板は、文字、記号または図形から形成された表示部材が並べられた案内部と、前記表示部材に回転軸が接続され、前記表示部材を軸回転させる軸部とを備えたことを特徴としたものである。
【０００９】
本考案の看板によれば、軸部の回転軸を中心に、表示部材のそれぞれを回転させることができるため、設置方向に応じて表示部材の向きを変更することで、設置場所でも変更にも対応することが可能である。
【００１０】
前記軸部は、前記表示部材の中心に接続されていると、上下方向および左右方向のバランスが崩れることが無く、表示部材を回転させることができる。
【００１１】
前記軸部が、前記表示部材を同じ９０度の範囲で回転させると、縦型から横型、横型から縦型と設置方向を変更するときに、表示部材を回し過ぎてしまうことが防止できる。
【００１２】
転対称に形成された前記表示部材は、前記表示部材を囲う枠部に固定されていると、軸部を省略することができ、構造を簡素化することができる。
【考案の効果】
【００１３】
本考案の看板は、軸部を中心に表示部材を回転させることで、文字、記号または図形から形成された表示部材を設置方向に応じて対応させることが可能である。
【図面の簡単な説明】
【００１４】
【図１】本考案の実施の形態に係る看板を縦型として使用したときの正面側から見た斜視図である。
【図２】図１に示す看板を背面側から見た斜視図である。
【図３】図１に示す看板の分解斜視図である。
【図４】図１に示す看板の「Ｎ」の文字を回転させる状態を説明するための図である。
【図５】図１に示す看板を横型として使用したときの斜視図である。
【考案を実施するための形態】
【００１５】
本考案の実施の形態に係る看板を図面に基づいて説明する。
図１および図２に示す看板１０は、店舗が営業中であることを示す「ＯＰＥＮ」の文字が並べられたものである。
図１から図３に示すように、看板１０は、案内部１１と、フレーム部１２と、取付部材１３とを備えている。
案内部１１は、表示部材の一例である、「Ｏ」、「Ｐ」、「Ｅ」および「Ｎ」の文字が一列に並べられた文字表示部１１ａ〜１１ｄと、文字表示部１１ａ〜１１ｄの周囲を囲うように略矩形状に形成された枠状表示部１１ｅとを備えている。
文字表示部１１ａ〜１１ｄおよび枠状表示部１１ｅには、文字の形状に沿ってＬＥＤ（図示せず）が内蔵されている。
【００１６】
フレーム部１２は、前面で案内部１１を支持するものである。フレーム部１２には、ＬＥＤを点灯させるための配線（図示せず）が内蔵されている。
フレーム部１２は、枠部１２１と、文字用支持部１２２と、枝部１２３と、本体部１２４とを備えている。
【００１７】
枠部１２１は、枠状表示部１１ｅと同じ輪郭形状に形成され、枠状表示部１１ｅに内蔵されたＬＥＤを点灯させるための配線が内蔵されている。
文字用支持部１２２は、「Ｐ」、「Ｅ」および「Ｎ」の文字に形成された文字表示部１１ｂ〜１１ｄを支持する文字用支持部１２２ａ〜１２２ｃを備えている。本実施の形態の看板１０では、マークなどの図形による図形表示部材や記号による記号表示部材は無いため、図形用支持部および記号用支持部は備えていない。
枝部１２３は、本体部１２４と枠部１２１とを接続して、本体部１２４と枠部１２１とを互いに固定するものである。
【００１８】
本体部１２４は、Ｏ字状部１２４ａと、軸部１２４ｂと、連結部１２４ｃとを備えている。
Ｏ字状部１２４ａは、「Ｏ」の文字に形成された文字表示部１１ａを支持して文字用支持部として機能するものである。軸部１２４ｂは、文字用支持部１２２（１２２ａ〜１２２ｃ）を回転させることができる。連結部１２４ｃは、軸部１２４ｂ同士、Ｏ字状部１２４ａと軸部１２４ｂ、および軸部１２４ｂと枠部１２１を連結する。
【００１９】
軸部１２４ｂは、連結部１２４ｃと一体的に連結された筒部１２４ｓに、文字用支持部１２２ａ〜１２２ｃと円盤状部材１２４ｇを介して繋がった回転軸１２４ｒが挿入されて、回転軸１２４ｒが筒部１２４ｓ内で回転するものである。
本実施の形態では、軸部１２４ｂは、看板１０を縦型として使用される場合と、横型として使用される場合とで、９０度回転するように形成されている。軸部１２４ｂは、回転軸１２４ｒの回転範囲が９０度となるように形成されている。
軸部１２４ｂは、文字用支持部１２２ａ〜１２２ｃの中心に接続されている。中心とは、文字用支持部１２２ａ〜１２２ｃの上下方向の中間位置、および左右方向の中間位置のことを示す。
【００２０】
図２から図４に示すように、取付部材１３は、看板１０自体を壁面に直接、または間接的に取り付けための金具である。
【００２１】
以上のように構成された本考案の実施の形態に係る看板１０の使用状態について、図面に基づいて説明する。
図１に示す看板１０では、「ＯＰＥＮ」のそれぞれの文字が縦方向（上下方向）に並んでおり、縦型として使用されている。
この看板１０を横型として使用する場合には、「Ｐ」、「Ｅ」および「Ｎ」の文字に形成された文字表示部１１ｂ〜１１ｄを同じ方向に９０度回転させる。
【００２２】
例えば、図４に示すように、縦型として使用している看板１０の左側を下にして横型として使用する場合には、看板１０の左側を下にした段階で、倒伏した姿勢となった「Ｐ」、「Ｅ」および「Ｎ」の文字である文字表示部１１ｂ〜１１ｄを、正面から見て時計回りＦ１にそれぞれ回転させる。
文字表示部１１ｂ〜１１ｄを回転させることで、文字用支持部１２２が軸部１２４ｂの回転軸１２４ｒを中心に筒部１２４ｓ内で回転するため、倒伏した姿勢の文字を、立位した姿勢とすることができる。
【００２３】
このとき、軸部１２４ｂは、それぞれの文字表示部１１ｂ〜１１ｄを同じ９０度の範囲で回転させるため、縦型から横型に設置方向を変更するときに、文字表示部１１ｂ〜１１ｄを回し過ぎてしまうことが防止できる。
このようにして、図５に示す横型の看板１０とすることができる。
【００２４】
本実施の形態では、図１に示すように「Ｏ」の文字を表示する文字表示部１１ａは、Ｏ字状部１２４ａが枝部１２３により枠部１２１に接続されていることで固定されている。しかし、「Ｏ」の文字は回転対称であるため、回転させる必要がない。そのため、軸部１２４ｂを省略することができるので、構造を簡略化でき、コストを抑えることができる。なお、本実施の形態では、「Ｏ」の文字が固定されていたが、縦型と横型とを兼用する場合では、９０度回転しても同じとなればよいため、文字「Ｘ」や記号「＋」、「＃」などは固定されていてもよい。
【００２５】
このように、看板１０が、文字、図形から形成された文字表示部１１ｂ〜１１ｄが並べられ、配置された案内部１１と、文字表示部１１ｂ〜１１ｄを、文字用支持部１２２ａ〜１２２ｃと共に回転させる軸部１２４ｂとを備えているため、文字表示部１１ｂ〜１１ｄのそれぞれを、軸部１２４ｂを中心に回転させることができる。従って、看板１０は、設置方向に応じて文字表示部１１ｂ〜１１ｄの向きを変更することで、設置場所でも変更にも対応することが可能である。また、縦型と横型とを共通して、看板１０を製造することができるため、在庫を２倍持つ必要が無い。
【００２６】
軸部１２４ｂが、文字用支持部１２２ａ〜１２２ｃの中心に接続されていることで、文字用支持部１２２ａ〜１２２ｃと同輪郭形状の文字表示部１１ｂ〜１１ｄの中心に位置する。そのため、上下方向および左右方向のバランスが崩れること無く、文字表示部１１ｂ〜１１ｄを９０度回転させることができる。
【００２７】
なお、本実施の形態では、文字表示部１１ａ〜１１ｄおよび枠状表示部１１ｅにＬＥＤを内蔵させていたが、ＬＥＤは内蔵していなくてもよい。
【産業上の利用可能性】
【００２８】
本考案の看板は、店頭だけでなく、表示する内容に応じて、店内、街頭、建物の壁面、屋上などに設置することができる。
【符号の説明】
【００２９】
１０  看板
１１  案内部
１１ａ〜１１ｄ  文字表示部
１１ｅ  枠状表示部
１２  フレーム部
１２１  枠部
１２２，１２２ａ〜１２２ｃ  文字用支持部
１２３  枝部
１２４  本体部
１２４ａ  Ｏ字状部
１２４ｂ  軸部
１２４ｇ  円盤状部材
１２４ｒ  回転軸
１２４ｓ  筒部
１２４ｃ  連結部
１３  取付部材
Ｆ１  時計回り
【図１】
0003206470.tif 000003
【図２】
0003206470.tif 000004
【図３】
0003206470.tif 000005
【図４】
0003206470.tif 000006
【図５】
0003206470.tif 000007